(57)【要約】【課題】少ない部品点数で簡単な構造により、不正解錠を防止すると共に、円滑な施錠・解錠を行なうことができる遊技機用施錠装置を提供する。【解決手段】基枠１の支持板１２に、表枠ロック爪２，３が背面側に突出し且つ傾動可能に枢支される。基枠１内に作動帯板６が支持板に沿って上下に摺動可能に配設される。シリンダ錠７が錠軸７ｂを基枠１の内側に挿入し正面側に突出して取付板１１に取り付けられる。錠軸にはカム部材８が固定される。カム部材８には作動帯板６と係合可能な第１係合凸部８ａが設けられる。作動帯板６にはカム部材８の第１係合凸部８ａが進入して嵌合する係合孔６ｅが設けられる。施錠状態において第１係合凸部８ａは、作動帯板６の係合孔６ｅに嵌入した状態を保持して、作動帯板６の解錠側への摺動を阻止し、解錠時にはカム部材８の第１係合凸部８ａが係合孔６ｅ内にさらに進入して作動帯板６を摺動させる。【選択図】図２
2007252776.tif 000002
【特許請求の範囲】
【請求項１】
相互に直角に曲折された取付板と支持板を有する縦長の基枠の該支持板に、１対の表枠ロック爪が背面側に突出し且つ傾動可能に枢支されると共に、該基枠内に作動帯板が該支持板に沿って上下に摺動可能に配設され、シリンダ錠が錠軸を該基枠の内側に挿入し正面側に突出して該取付板に取り付けられ、該錠軸にはカム部材が固定され、該カム部材には該作動帯板と係合可能な係合凸部が設けられてなる遊技機用施錠装置であって、
該作動帯板には該カム部材の係合凸部が進入して嵌合する係合孔が設けられ、施錠状態において該係合凸部は、該作動帯板の係合孔に嵌入した状態を保持して、該作動帯板の解錠側への摺動を阻止し、解錠時には該カム部材の係合凸部が該係合孔内にさらに進入して該作動帯板を摺動させることを特徴とする遊技機用施錠装置。
【請求項２】
前記支持板には、さらに１対のガラス枠ロック爪が前記取付板の開口部から正面側に突出し且つ傾動可能に枢支され、前記作動帯板には、該ガラス枠ロック爪に突設された係合凸部と係合可能な係合凹部が設けられ、該作動帯板を前記表枠ロック爪の解錠側と反対方向に移動させたとき、該ガラス枠ロック爪が傾動して解錠動作することを特徴とする請求項１記載の遊技機用施錠装置。
【請求項３】
前記カム部材には、第１係合凸部と第２係合凸部が設けられ、前記作動帯板には該カム部材の第１係合凸部と第２係合凸部が進入して嵌合する係合孔が各々設けられ、施錠状態において該第１係合凸部と第２係合凸部が該作動帯板の係合孔に嵌入した状態を保持して、該作動帯板の解錠側への摺動を阻止し、解錠時には該カム部材の該第１係合凸部または第２係合凸部が該係合孔内にさらに進入して該作動帯板を摺動させることを特徴とする請求項２記載の遊技機用施錠装置。
【発明の詳細な説明】
【技術分野】
【０００１】
本発明は、パチンコ機などの遊技機に使用される施錠装置に関し、特に不正解錠を防止すると共に、円滑な施錠・解錠を行なうことができる遊技機用施錠装置に関する。
【背景技術】
【０００２】
例えば、パチンコ機の施錠装置として、従来、下記特許文献１に記載される構造の施錠装置が知られている。この施錠装置は、縦長でアングル材形の基枠の上部と下部に各々、パチンコ機の表枠を施錠するための表枠用ロック爪と、金枠（ガラス枠）を施錠するための金枠用ロック爪とを揺動可能に枢支すると共に、基枠内に上下の表枠用ロック爪を連結する表枠用帯板と上下の金枠用ロック爪を連結する金枠用帯板とを摺動可能に配設し構成される。
【０００３】
さらに、基枠の中間部にシリンダ錠が取り付けられ、シリンダ錠の錠軸先端に、カム部材が取り付けられ、カム部材が表枠用帯板と金枠用帯板に係合可能とされ、シリンダ錠の一方向の回動により、カム部材を表枠用帯板に係合させ同帯板を摺動させて表枠を解錠し、シリンダ錠の他方向への回動により、カム部材を金枠用帯板に係合させ同帯板を摺動させて金枠を解錠するように動作する。
【特許文献１】特開２００１−３８０２６号公報
【発明の開示】
【発明が解決しようとする課題】
【０００４】
この種のパチンコ機の施錠装置は、通常、表枠または金枠を閉じると、表枠用ロック爪または金枠用ロック爪が、自動的に傾動して、本体枠側の受け金具または表枠側の受け金具に係止されて施錠され、解錠する際には、シリンダ錠によりカム部材を回動させることにより、表枠用帯板または金枠用帯板を摺動させて解錠操作する。このため、施錠状態において、表枠の隙間から針金などを差し込んで不正に表枠用帯板または金枠用帯板を移動させた場合、表枠用ロック爪または金枠用ロック爪が傾動して、不正解錠が可能となる問題があった。
【０００５】
このために、上記特許文献１の施錠装置では、施錠状態で表枠用帯板と金枠用帯板の移動をロックするロック部材とそのロックを解除するロック解除部材を取り付けている。しかしながら、このロック部材とロック解除部材は金枠用帯板に揺動可能に枢支され、表枠及び金枠の開閉時には揺動し、表枠用帯板などを係止する構造のため、表枠用帯板と金枠用帯板がキーによる解錠時に円滑に移動しない場合があり、また、ロック部材とロック解除部材及びそれらを付勢するコイルばねなどの部材が必要となって部品点数が増大し、製造時の組付工数も増大する課題があった。
【０００６】
本発明は、上述の課題を解決するものであり、少ない部品点数で簡単な構造により、不正解錠を防止すると共に、円滑な施錠・解錠を行なうことができる遊技機用施錠装置を提供することを目的とする。
【課題を解決するための手段】
【０００７】
本発明に係る遊技機用施錠装置は、相互に直角に曲折された取付板と支持板を有する縦長の基枠の該支持板に、１対の表枠ロック爪が背面側に突出し且つ傾動可能に枢支されると共に、該基枠内に作動帯板が該支持板に沿って上下に摺動可能に配設され、シリンダ錠が錠軸を基枠の内側に挿入し正面側に突出して該取付板に取り付けられ、該錠軸にはカム部材が固定され、カム部材には該作動帯板と係合可能な係合凸部が設けられてなる遊技機用施錠装置であって、該作動帯板には該カム部材の係合凸部が進入して嵌合する係合孔が設けられ、施錠状態において該係合凸部は、該作動帯板の係合孔に嵌入した状態を保持して、該作動帯板の解錠側への摺動を阻止し、解錠時には該カム部材の係合凸部が該係合孔内にさらに進入して該作動帯板を摺動させることを特徴とする。
【０００８】
ここで、上記支持板には、さらに１対のガラス枠ロック爪が取付板の開口部から正面側に突出し且つ傾動可能に枢支され、上記作動帯板には、該ガラス枠ロック爪に突設された係合凸部と係合可能な係合凹部が設けられ、該作動帯板を上記表枠ロック爪の解錠側と反対方向に移動させたとき、該ガラス枠ロック爪が傾動して解錠動作するように構成することができる。
【０００９】
また、上記カム部材には、第１係合凸部と第２係合凸部が設けられ、該作動帯板には該カム部材の第１係合凸部と第２係合凸部が進入して嵌合する係合孔が各々設けられ、施錠状態において該第１係合凸部と第２係合凸部が該作動帯板の係合孔に嵌入した状態を保持して、該作動帯板の解錠側への摺動を阻止し、解錠時には該カム部材の該第１係合凸部または第２係合凸部が該係合孔内にさらに進入して該作動帯板を摺動させるように構成することができる。
【発明の効果】
【００１０】
上記構成の遊技機用施錠装置では、施錠状態においてカム部材の係合凸部が、作動帯板の係合孔に嵌入した状態を保持して、作動帯板の解錠側への摺動を阻止するため、遊技機の表枠の隙間から針金などの不正工具を差し込んで、作動帯板を動かして表枠ロック爪を傾動させようとしても、作動帯板は摺動せず、従来のように、ロック部材やロック解除部材を取り付けることなく、極めて簡単な構成により、不正解錠を防止することができる。
【００１１】
また、解錠時にはカム部材の係合凸部が係合孔内にさらに進入して作動帯板を摺動させるように動作し、解錠方向に回したキーを戻す際には、カム部材の係合凸部が係合孔内を戻って退出することになる。したがって、表枠ロック爪が何らかの理由により、本体枠側の受け金具に対し噛み付いて作動帯板が解錠位置に戻りにくくなった場合、キーを戻してカム部材が通常位置に戻る際、カム部材の係合凸部の外側（外周側）が作動帯板の係合孔の縁部に当たって、作動帯板を強制的に通常の施錠位置に戻すように作用する。これにより、表枠ロック爪が何らかの理由により、本体枠側の受け金具に対し噛み付いて作動帯板が解錠位置に戻りにくくなった場合でも、作動帯板及び表枠ロック爪を通常の施錠状態に簡単に戻すことができる。
【発明を実施するための最良の形態】
【００１２】
以下、本発明の一実施形態を図面に基づいて説明する。図１はパチンコ遊技機用の施錠装置の正面図を示し、図２はその右側面図を示し、図３はその背面図を示している。また、図４は同施錠装置の分解図を示している。本施錠装置は、縦長で略チャンネル材形の基枠１の支持板１２の上部と下部に、各々、パチンコ遊技機の表枠を施錠するための表枠ロック爪２，３を揺動可能に枢支し、基枠１内に上下の表枠ロック爪２，３を解錠方向に傾動させる作動帯板６を摺動可能に配設し、基枠１の取付板１１の中間部下寄りにシリンダ錠７を取り付け、シリンダ錠７の錠軸先端に固定したカム部材８を、作動帯板６に係合可能として構成される。
【００１３】
基枠１は、図４の分解図に示すように、略チャンネル材状に形成され、その底板となる取付板１１と、取付板１１から直角に立ち上がるように曲折された支持板１２とを有し、１対のガラス枠ロック爪４，５が、取付板１１の上部と中央部付近に形成された矩形長孔から正面側に突き出す形態で、支持板１２の内側に揺動可能に枢支されている。基枠１の取付板１１の中間部下寄りの幅広に形成された部分に、シリンダ錠用の開口部が形成され、シリンダ錠７は、その開口部からキー孔のある先端部を正面側に突出させ、フランジ７ａを取付板１１の内側に入れ、固定ねじにて締め付け固定して取り付けられる。
【００１４】
シリンダ錠７の取付板１１の内側に突出した錠軸７ｂの先端に、カム部材８が固定される。このカム部材８には、第１係合凸部８ａと第２係合凸部８ｂが設けられ、図３に示すように、第１係合凸部８ａと第２係合凸部８ｂは、基枠１内で、支持板１２及び作動帯板６の側を向いて配設される。さらに、カム部材８の第１係合凸部８ａと第２係合凸部８ｂは、施錠状態（キーによる解錠時以外のとき）においては、作動帯板６の係合孔６ｅ，６ｆ及び支持板１２の長孔１２ａに進入して嵌まり込み、作動帯板６の移動を阻止する構造となっている。
【００１５】
さらに、カム部材８の第１係合凸部８ａは、シリンダ錠７にキーを差し込み右に回したとき、図６の反時計方向に回動するが、このとき、第１係合凸部８ａが係合孔６ｅ内にさらに進入して作動帯板６を上に摺動させるように形成されている。また、同様に、第２係合凸部８ｂは、シリンダ錠７にキーを差し込み左に回したとき、図６の時計方向に回動するが、このとき、第２係合凸部８ｂが係合孔６ｆ内にさらに進入して作動帯板６を下に摺動させるように形成されている。このように、カム部材８の第１係合凸部８ａと第２係合凸部８ｂは従来のものより長く突出した形状に形成されており、回動時に障害とならないように、支持板１２の対向位置に長孔が形成され、第１係合凸部８ａと第２係合凸部８ｂの動きを逃がして許容するようにしている。
【００１６】
図２、図４に示すように、基枠１の支持板１２の上部に、表枠ロック爪２が枢軸２ａを介して水平状態で背面側に突出し且つ水平位置から下方に傾動可能に軸支される。また同様に、支持板１２の下部に、表枠ロック爪３が枢軸３ａを介して水平状態で背面側に突出し且つ水平位置から下方に傾動可能に軸支されている。表枠ロック爪２，３には、遊技機の本体枠側の受け金具と係合する係止凹部がその上縁側に設けられ、表枠ロック爪２，３が下側に傾動したとき、解錠される構造である。
【００１７】
表枠ロック爪２，３の元部には、係合凸部２ｂ、３ｂが突設され、この係合凸部２ｂ、３ｂに対し上記作動帯板６がその上方移動時に係合可能となっている。上部の表枠ロック爪２の係合凸部２ｂと後述のガラス枠ロック爪４の係合凸部４ｂとの間に、ばね部材１７が掛け渡され、このばね部材１７により表枠ロック爪２は水平状態（施錠状態）を保持するように、施錠方向に付勢されている。同様に、下部の表枠ロック爪３の係合凸部３ｂと支持板１２との間に、ばね部材１９が掛け渡され、このばね部材１９により表枠ロック爪３は水平状態（施錠状態）を保持するように、施錠方向に付勢されている。
【００１８】
さらに、図１に示すように、取付板の上部と中央部近傍には、縦方向に長孔１１ａ，１１ｂが形成され、その長孔１１ａ，１１ｂから正面側に突き出すように、２個のガラス枠ロック爪４，５が配設され、それらのガラス枠ロック爪４，５の元部が、枢軸４ａ，５ａを介して揺動可能に軸支される。つまり、このガラス枠ロック爪４，５は、上記表枠ロック爪２，３と同様に、水平状態で正面側に突出し且つ水平位置から下方に傾動可能に、枢軸４ａ，５ａにより軸支される。ガラス枠ロック爪４，５には、遊技機のガラス枠２２側の係止部２５，２６と係合する係止凹部がその上縁側に設けられ、ガラス枠ロック爪４，５が下側に傾動したとき、解錠される構造である。
【００１９】
さらに、ガラス枠ロック爪４，５の中間部には、係合凸部４ｂ、５ｂが突設され、この係合凸部４ｂ、５ｂに対し上記作動帯板６がその下方移動時に係合可能となっている。また、上部のガラス枠ロック爪４は、上記のように、表枠ロック爪２の係合凸部２ｂとの間に掛け渡したばね部材１７により水平状態（施錠状態）を保持するように、施錠方向に付勢される。また、中央部近傍（下側）のガラス枠ロック爪５の中間部に設けた係合凸部５ｂと取付板１１間にばね部材１８が掛け渡され、このばね部材１８によりガラス枠ロック爪５は水平状態（施錠状態）を保持するように、施錠方向に付勢されている。
【００２０】
基枠１の内側の支持板１２に沿って、作動帯板６が摺動可能に配設される。この作動帯板６には、図４に示すように、表枠ロック爪２の係合凸部２ｂの対向位置に、係合凸部２ｂと係合可能な係合部６ａが設けられ、表枠ロック爪３の係合凸部３ｂの対向位置に、係合凸部３ｂと係合可能な係合部６ｂが設けられる。さらに、作動帯板６には、ガラス枠ロック爪４の係合凸部４ｂの対向位置に、係合凸部４ｂと係合可能な係合部６ｃが設けられ、ガラス枠ロック爪５の係合凸部５ｂの対向位置に、係合凸部５ｂと係合可能な係合部６ｄが設けられる。
【００２１】
これらの係合部６ａ〜６ｄは、各々、作動帯板６の所定位置に矩形凹部の縁部として形成され、作動帯板６が上に移動したとき、係合部６ａ，６ｂが表枠ロック爪２、３の係合凸部２ｂ、３ｂに係合して、表枠ロック爪２，３を下側に傾動させ、表枠を解錠する。一方、作動帯板６が下側に移動したとき、係合部６ｃ，６ｄがガラス枠ロック爪４、５の係合凸部４ｂ、５ｂに係合して、ガラス枠ロック爪４，５を下側に傾動させ、ガラス枠が解錠される。
【００２２】
このように、作動帯板６は、基枠１内で支持板１２に沿って所定の範囲で上下に摺動可能とされるが、このために、作動帯板６には２個のガイド孔６ｇが形成され、そのガイド孔６ｇにガイドピン１５が挿入され、その先端が支持板１２の内側に円形に突設されたガイド支持部に固定される。
【００２３】
これにより、作動帯板６はガイド孔６ｇにガイドピン１５にガイドされて所定の範囲内で摺動可能となっている。また、作動帯板６はガイドピン１５とガイド孔６ｇによって所定の上下範囲で移動可能にガイド支持されると共に、支持板１２の内面から少し離れた位置で、小さい摩擦抵抗により摺動可能に支持される構造となっている。
【００２４】
また、取付板１１上には作動帯板６をガイド支持するガイド凸部１１ｃが内側に突設され、作動帯板６をがたつきなく摺動支持するようにしている。さらに、作動帯板６には取付板１１と平行に折り曲げられた折り曲げ部が長手方向に沿って設けられ、作動帯板６の曲げ強度を向上させるようにしている。
【００２５】
上述のように、作動帯板６の下部寄りに形成した２個の係合孔６ｅ，６ｆには、通常の施錠時、シリンダ錠７の錠軸７ｂに固定したカム部材８の第１係合凸部８ａと第２係合凸部８ｂが進入して嵌合しており、その状態で、シリンダ錠７に差し込んだキーを解錠のために右に回すと、第１係合凸部８ａが図３の反時計方向に回動して作動帯板６を上方に移動させ、これにより、作動帯板６の係合部６ａ，６ｂが表枠ロック爪２、３の係合凸部２ｂ、３ｂに係合して、表枠ロック爪２，３を下側に傾動させ、表枠２１を解錠する。
【００２６】
一方、シリンダ錠７に差し込んだキーを左に回すと、第２係合凸部８ｂが図３の時計方向に回動して作動帯板６を下方に移動させ、これにより、作動帯板６の係合部６ｃ，６ｄがガラス枠ロック爪４、５の係合凸部４ｂ、５ｂに係合して、ガラス枠ロック爪４，５を下側に傾動させ、ガラス枠２２を解錠する構造となっている。
【００２７】
上記構成の施錠装置は、図７に示すように、パチンコ遊技機の前面にヒンジを介して開閉可能に装着された表枠２１の内側の自由端寄りに、縦に固定され、シリンダ錠７の正面鍵口は表枠２１の正面に露出し、表枠ロック爪２，３は表枠２１の背面側つまり本体枠２０側を向いて取り付けられる。
【００２８】
本体枠２０における表枠ロック爪２，３の対応位置には、受け金具２３，２４が固定される。一方、表枠２１の上部正面には、ガラス枠２２がヒンジを介して開閉可能に取り付けられ、そのガラス枠２２の閉鎖時にガラス枠２２が嵌る表枠２１の正面部分の縁部に、１対のガラス枠ロック爪４，５が突出する。そして、ガラス枠２２の内側には、ガラス枠２２の閉鎖時に、ガラス枠ロック爪４，５が係止可能な係止部２５，２６がガラス枠２２の内側に設けられる。
【００２９】
パチンコ遊技機の本体枠２０に対し表枠２１を閉じると、施錠装置の表枠ロック爪２，３の先端傾斜部が本体枠２０の内側の受け金具２３，２４に接触して一旦下側に傾動し、ばね部材１７，１９の付勢力で元に戻ることにより、表枠ロック爪２，３の係止凹部が受け金具２３，２４に係止され、施錠状態となる。また、表枠２１に対しガラス枠２２を閉じると、１対のガラス枠ロック爪４，５がガラス枠２２の内側の係止部２５，２６に当って一旦下側に傾動し、ばね部材１７，１８の付勢力によって水平姿勢に戻ることにより、ガラス枠ロック爪４，５がガラス枠２２の内側の係止部２５，２６に係止され、ガラス枠２２が施錠される。
【００３０】
このような施錠状態となると、図６に示すように、カム部材８はその第１係合凸部８ａと第２係合凸部８ｂが作動帯板６の係合孔６ｅ，６ｆ内に進入し、嵌合状態にあって、カム部材８はシリンダ錠７により、つまりキーを抜いた状態のシリンダ錠では錠軸は回動できず、回動不可能であるから、作動帯板６は上下摺動を阻止される。したがって、表枠２１の隙間から針金などの不正工具を差し込んで、作動帯板６を動かして表枠ロック爪２，３やガラス枠ロック爪４，５を傾動させようとしても、作動帯板６は摺動せず、不正解錠を防止することができる。
【００３１】
表枠２１を解錠する場合、キーをシリンダ錠７に差し込み、右に回すと、図９のように、カム部材８の回動により、第１係合凸部８ａが図９の反時計方向に回動して作動帯板６を上方に移動させ、これにより、作動帯板６の係合部６ａ，６ｂが表枠ロック爪２、３の係合凸部２ｂ、３ｂに係合して、表枠ロック爪２，３を下側に傾動させ、表枠ロック爪２，３と受け金具２３，２４との係合がはずれ、表枠２１が解錠される。
【００３２】
そして、この解錠操作時にキーを元の位置に戻してカム部材８が図３のような原位置に戻る際、カム部材８の第１係合凸部８ａは、係合孔６ｅ内を戻って退出することになる。このとき、表枠ロック爪２，３が何らかの理由により、本体枠２０側の受け金具２３，２４に対し噛み付いて作動帯板６が通常位置（原位置）に戻りにくくなった場合、キーを戻してカム部材８を原位置に戻す際、カム部材８の第１係合凸部８ａの外側（外周側）縁部が作動帯板６の係合孔６ｅの縁部に当たって、作動帯板６を強制的に通常の原位置（施錠位置）に戻すように作用する。
【００３３】
これにより、表枠ロック爪２，３が表枠や本体枠の変形などにより受け金具２３，２４と施錠装置の位置がずれるなどして、本体枠２０側の受け金具２３，２４に対し噛み付いて作動帯板６が解錠位置に戻りにくくなった場合でも、カム部材８によって作動帯板６及び表枠ロック爪２，３を通常の施錠状態に簡単に戻すことができる。
【００３４】
ガラス枠２２を解錠する場合、シリンダ錠７にキーを差し込み、キーを左に回すと、カム部材８の回動により、第２係合凸部８ｂが図１１の時計方向に回動して作動帯板６を下方に移動させ、これにより、作動帯板６の係合部６ｃ，６ｄがガラス枠ロック爪４、５の係合凸部４ｂ、５ｂに係合して、ガラス枠ロック爪４，５を下側に傾動させる。これにより、ガラス枠ロック爪４，５とガラス枠２２の係止部２５，２６との係合がはずれ、ガラス枠２２が解錠される。
【００３５】
このときも、上記と同様、解錠操作時にキーを元の位置に戻してカム部材８が図６のような原位置に戻る際、カム部材８の第２係合凸部８ｂは、係合孔６ｆ内を戻って退出することになる。このとき、ガラス枠ロック爪４，５が何らかの理由により、ガラス枠２２側の係止部２５，２６に対し噛み付いて作動帯板６が解錠位置に戻りにくくなった場合、キーを戻してカム部材８を原位置に戻す際、カム部材８の第２係合凸部８ｂの外側（外周側）縁部が作動帯板６の係合孔６ｆの縁部に当たって、作動帯板６を強制的に通常位置（施錠位置）に戻すように作用する。これにより、ガラス枠ロック爪４，５が表枠やガラス枠の変形などにより係止部２５，２６と施錠装置の位置がずれるなどして、表枠２１側の係止部２５，２６に対し噛み付いて作動帯板６が施錠位置に戻りにくくなった場合でも、カム部材８によって作動帯板６及びガラス枠ロック爪４，５を通常の施錠状態に簡単に戻すことができる。
【図面の簡単な説明】
【００３６】
【図１】本発明の一実施形態を示す遊技機用施錠装置の正面図である。
【図２】同施錠装置の右側面図である。
【図３】同施錠装置の背面図である。
【図４】同施錠装置の分解右側面図である。
【図５】シリンダ錠、カム部材の周囲部分を示す拡大右側面図である。
【図６】カム部材の周囲部分を示す拡大背面図である。
【図７】使用態様を示す施錠状態の右側面図である。
【図８】使用態様を示す表枠解錠時の右側面図である。
【図９】使用態様を示す表枠解錠時の拡大背面図である。
【図１０】使用態様を示すガラス枠解錠時の右側面図である。
【図１１】使用態様を示すガラス枠解錠時の拡大背面図である。
【符号の説明】
【００３７】
１      基枠
２、３      表枠ロック爪
４、５      ガラス枠ロック爪
６      作動帯板
６ａ〜６ｆ    係合部
７      シリンダ錠
８      カム部材
８ａ    第１係合凸部
８ｂ    第２係合凸部
１１    取付板
１２    支持板
２０    本体枠
２１    表枠
２２    ガラス枠
２３、２４  受け金具
２５、２６  係止部
【図１】
2007252776.tif 000003
【図２】
2007252776.tif 000004
【図３】
2007252776.tif 000005
【図４】
2007252776.tif 000006
【図５】
2007252776.tif 000007
【図６】
2007252776.tif 000008
【図７】
2007252776.tif 000009
【図８】
2007252776.tif 000010
【図９】
2007252776.tif 000011
【図１０】
2007252776.tif 000012
【図１１】
2007252776.tif 000013